(57)【特許請求の範囲】
【請求項１】
複数の画素を有し、１つの前記画素が色の異なる複数のサブピクセルを含む表示部と、
前記表示部に表示される画像をそれぞれ異なる方向に分離するパララックス素子と、
観察者の視点位置を検出する検出部と、
前記視点位置において前記パララックス素子を通して観察される各サブピクセルの面積に応じて、前記各サブピクセルの輝度を増減させ、前記複数のサブピクセルの色バランスを補正する補正部と
を備えた表示装置。
【請求項２】
前記表示部は、複数の視点画像をサブピクセル単位で表示し、
前記パララックス素子は、前記表示部に表示された前記複数の視点画像をそれぞれ異なる方向に分離する
請求項１に記載の表示装置。
【請求項３】
前記補正部は、前記観察者が逆視が生じる視点位置に移動したか否かに関わらず前記色バランスを補正する
請求項２に記載の表示装置。
【請求項４】
前記表示部において、前記複数の画素は縦方向および横方向に配列され、かつ、縦方向の任意のサブピクセル列には同一色のサブピクセルが配列されると共に、横方向の任意のサブピクセル列には複数の色のサブピクセルが周期的に交互に配列されている
請求項２に記載の表示装置。
【請求項５】
前記表示部は、横方向の任意のサブピクセル列における隣り合う所定数のサブピクセルの組み合わせを、１つの視点画像をカラー表示するための単位画素として用いる
請求項４に記載の表示装置。
【請求項６】
前記パララックス素子は、所定の幅を有するストライプ状の開口部が横方向に複数配列された構成とされ、
前記各開口部の幅が、前記単位画素の横幅よりも小さい
請求項５に記載の表示装置。
【請求項７】
前記視点位置に応じて前記各サブピクセルの輝度を増減させるための補正データを記憶する記憶部を有し、
前記補正部は、前記視点位置と、前記記憶部に記憶された前記補正データとに基づき、前記複数のサブピクセルの色バランスを補正する
請求項１に記載の表示装置。
【請求項８】
前記パララックス素子は、レンチキュラを用いて構成され、
前記補正データは、前記レンチキュラの色収差が加味されている、
請求項７に記載の表示装置。
【請求項９】
前記表示部は、液晶表示素子を用いて構成され、
前記補正データは、前記液晶表示素子の視野角特性が加味されている、
請求項７に記載の表示装置。
【請求項１０】
表示装置を含み、
前記表示装置は、
複数の画素を有し、１つの前記画素が色の異なる複数のサブピクセルを含む表示部と、
前記表示部に表示される画像をそれぞれ異なる方向に分離するパララックス素子と、
観察者の視点位置を検出する検出部と、
前記視点位置において前記パララックス素子を通して観察される各サブピクセルの面積に応じて、前記各サブピクセルの輝度を増減させ、前記複数のサブピクセルの色バランスを補正する補正部と
を備えた電子機器。
【発明の詳細な説明】
【技術分野】
【０００１】
本開示は、カラー表示を行う表示装置、およびそのような表示装置を備えた電子機器に関する。
【背景技術】
【０００２】
立体表示を行う手法としては、立体視用の眼鏡を用いる眼鏡方式と、立体視用の特殊な眼鏡を用いることなく裸眼での立体視を可能にした裸眼方式とがある。裸眼方式の代表的なものとしては、パララックスバリア方式とレンチキュラレンズ方式とがある。パララックスバリア方式やレンチキュラ方式の場合、２次元表示パネルに立体視用の複数の視点画像（２視点の場合には右眼用視点画像と左眼用視点画像）を空間分割して表示し、その視点画像をパララックス素子によって水平方向に分離することで立体視が行われる。パララックスバリア方式の場合、パララックス素子としてスリット状の開口部が設けられたパララックスバリアを用いる。レンチキュラ方式の場合、パララックス素子として、シリンドリカル状の分割レンズを複数並列配置したレンチキュラレンズが用いられる。
【先行技術文献】
【特許文献】
【０００３】
【特許文献１】特開平３−１１９８８９号公報
【特許文献２】特開２００４−１１８１４０号公報
【非特許文献】
【０００４】
【非特許文献１】”A wide-view Multi-domain Vertical-alignment Liquid Crystal with High Transmittance and High Contrast”Qi Hong etc. SID 06 P736
【発明の概要】
【発明が解決しようとする課題】
【０００５】
特許文献１には、液晶表示素子を用いてパララックスバリアの開口部の配置パターン等を可変制御できるようにした表示装置が開示されている。しかしながら、表示部の画素の配置パターンと開口部の配置パターンとの関係によっては干渉が生じ、色モアレが発生する場合がある。それらに加えて、観察者の観察方向との関係によっても表示色の変化が発生する場合がある。特許文献２には、画素の配置パターンと開口部の配置パターンとを、色モアレの発生が低減するようなパターンで構成する方法が開示されている。
また、表示部に液晶ディスプレイを用いる場合には、立体表示とは関係なく、通常の２次元表示を行う場合においても、液晶ディスプレイの特性として、見る方向によって色の変化が生じてしまう問題がある（非特許文献１参照）。
【０００６】
本開示の目的は、視点位置によらず色バランスを適正な状態に保つことができる表示装置および電子機器を提供することにある。
【課題を解決するための手段】
【０００７】
本開示による表示装置は、複数の画素を有し、１つの画素が色の異なる複数のサブピクセルを含む表示部と、表示部に表示される画像をそれぞれ異なる方向に分離するパララックス素子と、観察者の視点位置を検出する検出部と、視点位置においてパララックス素子を通して観察される各サブピクセルの面積に応じて、各サブピクセルの輝度を増減させ、複数のサブピクセルの色バランスを補正する補正部とを備えたものである。
【０００８】
本開示による電子機器は、上記本開示による表示装置を備えたものである。
【０００９】
本開示による表示装置または電子機器では、視点位置に応じて、複数のサブピクセルの色バランスが補正される。
【発明の効果】
【００１０】
本開示の表示装置または電子機器によれば、視点位置に応じて、複数のサブピクセルの色バランスを補正するようにしたので、視点位置によらず色バランスを適正な状態に保つことができる。
【図面の簡単な説明】
【００１１】
【図１】本開示の第１の実施の形態に係る表示装置の一構成例を示すブロック図である。
【図２】レンチキュラ方式の表示装置の一例を示す構成図である。
【図３】パララックスバリア方式の表示装置の一例を示す構成図である。
【図４】視点位置による視点画像の観察状態を示す説明図である。
【図５】パララックスバリア方式の表示装置の一例を示す構成図である。
【図６】サブピクセルの配列とパララックスバリアの配列との第１の例を示す平面図である。
【図７】サブピクセルの配列とパララックスバリアの配列との第２の例を示す平面図である。
【図８】色バランスの補正処理の一例を示す流れ図である。
【図９】液晶表示素子の視野角特性を示す説明図である。
【図１０】方位角と極角についての説明図である。
【図１１】電子機器の一例を示す外観図である。
【発明を実施するための形態】
【００１２】
以下、本開示の実施の形態について図面を参照して詳細に説明する。なお、説明は以下の順序で行う。
１．第１の実施の形態
立体表示を行う表示装置における色バランスの補正の例。
２．第２の実施の形態
液晶ディスプレイの特性による色バランスの補正の例。
３．その他の実施の形態
電子機器の構成例等
【００１３】
＜１．第１の実施の形態＞
［表示装置の構成］
図１は、本開示の第１の実施の形態に係る表示装置の一構成例を示している。この表示装置は、表示部１と、パララックス素子２と、検出部３と、表示制御部４と、画像補正部５と、パララックス素子制御部６と、補正用データ記憶部７とを備えている。検出部３は、撮像部３１と、視点位置判定部３２とを有している。
【００１４】
表示部１は、液晶表示パネル、エレクトリックルミナンス方式の表示パネル、またはプラズマディスプレイ等の２次元表示ディスプレイで構成されている。表示部１の表示画面には、後述の図６に示すように、複数の画素１１が２次元的に配列されている。１つの画素１１は例えば、赤色サブピクセル１１Ｒ、緑色サブピクセル１１Ｇ、および青色サブピクセル１１Ｂからなる。表示部１の表示画面には、この表示装置の立体表示方式に応じた画像表示がなされる。
【００１５】
この表示装置は、裸眼方式による立体表示を行うものであり、その立体表示方式は、パララックスバリア方式やレンチキュラレンズ方式等のパララックス素子２を用いた方式となっている。表示部１には、複数の視点用の視差画像（視点画像）が１画面内に合成された視差合成画像が表示される。すなわち、複数の視点画像が空間分割されて表示される。なお、この表示装置は、後述するように、観察者の視点位置に応じて表示部１に表示する視点画像を補正するようになっている。
【００１６】
レンチキュラ方式の場合、例えば図２に示したように、パララックス素子２として、例えばシリンドリカル状の分割レンズ２３を複数並列配置したレンチキュラレンズ２Ｂが用いられる。レンチキュラレンズ２Ｂは、表示部１に表示された複数の視点画像を空間的に分離して観察者側に出射するようになっている。これにより、表示部１に表示された複数の視点画像がそれぞれ異なる方向に分離され、左眼１０Ｌと右眼１０Ｒとにそれぞれ異なる視点画像が到達することで立体視が可能となる。なお、図２では、観察者と表示部１との間にレンチキュラレンズ２Ｂを配置した例を示しているが、表示部１の背面側にレンチキュラレンズ２Ｂが配置されていても良い。レンチキュラレンズ２Ｂは、可変レンズであっても良い。例えば液晶レンズのように、電気的にレンズ効果のオン・オフ制御を行うことが可能なものであっても良い。この場合、パララックス素子制御部６が電気的にレンズ効果のオン・オフ制御を行う。この場合、全画面での２次元（２Ｄ）表示モードと、全画面での３次元（３Ｄ）表示モードとを任意に選択的に切り替えることが可能となる。２次元表示モードと３次元表示モードとの切り替えは、表示部１に表示する画像データの切り替え制御と、パララックス素子２によるレンズ効果のオン・オフの切り替え制御とを行うことで可能となる。この場合、表示部１には、３次元画像データに基づく複数の視点画像と２次元画像データに基づく画像とが任意に選択的に切り替え表示される。なお、３次元画像データとは、複数の視点画像を含むデータである。例えば２眼式の３次元表示を行う場合、右眼表示用と左眼表示用の視点画像のデータである。
【００１７】
パララックスバリア方式の場合、例えば図３に示したように、パララックス素子２としてパララックスバリア２Ａが用いられる。パララックスバリア２Ａは、光を透過する開口部２１と、光を遮蔽する遮蔽部２２とを備えている。パララックスバリア２Ａは、表示部１に表示された複数の視点画像を空間的に分離して観察者側に出射するようになっている。これにより、表示部１に表示された複数の視点画像がそれぞれ異なる方向に分離され、左眼１０Ｌと右眼１０Ｒとにそれぞれ異なる視点画像が到達することで立体視が可能となる。パララックスバリア２Ａは、固定式であっても良いし、可変式であっても良い。固定式の場合、例えば透明な平行平面板（基材）の表面に、薄膜状の金属などで開口部２１および遮蔽部２２となるパターンを形成したものを用いることができる。可変式の場合、例えばバックライト方式の液晶表示素子による表示機能（光変調機能）を用いて、開口部２１および遮蔽部２２のパターンを選択的に形成することができる。この場合、パララックス素子制御部６が電気的にパララックスバリア２Ａのパターンの制御を行うことで、上述のレンチキュラレンズ２Ｂとして可変レンズを用いた場合と同様に、全画面での２次元（２Ｄ）表示モードと、全画面での３次元（３Ｄ）表示モードとを任意に選択的に切り替えることが可能となる。なお、図３では、表示部１の表示面側にパララックスバリア２Ａを配置した例を示しているが、表示部１の背面側にパララックスバリア２Ａを配置する構成であっても良い。例えば表示部１としてバックライト方式の液晶表示パネルを用いる場合、液晶表示パネルの背面側で、バックライトと液晶表示パネルとの間にパララックスバリア２Ａを配置すれば良い。
【００１８】
撮像部３１は、観察者を撮影するものである。視点位置判定部３２は、撮像部３１による撮影画像を解析することによって、観察者の視点位置（表示部１に対する観察者の距離（視距離）、表示面に平行な面内方向の観察者の位置、表示面に対する観察角度等）を判定するものである。検出部３による視点位置の検出には、例えばフェイストラッキング技術を用いることができる。なお、視距離は通常、表示部１の表示面から観察者の両眼の中心位置までの距離である。
【００１９】
表示制御部４は、検出部３で検出された観察者の視点位置に応じて、表示部１に表示する画像の制御を行うようになっている。表示制御部４は、例えば逆視やクロストークなどが生じないように、表示部１に表示する複数の視点画像の表示状態を制御するようになっている（図４参照）。表示制御部４はまた、図５〜図８を用いて後述するように、視点位置に応じて表示部１における色バランスを補正する制御を行うようになっている。この色バランスの補正は、観察者が逆視やクロストークが生じる視点位置に移動したか否かに関わらず行われる。
【００２０】
図４は、視点位置による視点画像の観察状態の例を示している。図４ではパララックス素子２としてパララックスバリア２Ａを用いた例を示している。また、視点画像として、右眼用視点画像Ｒと左眼用視点画像Ｌとを用いる場合を例にしている。図４に示したように、観察者の視点位置が中央部にある場合、右眼１０Ｒには右眼用視点画像Ｒが、左眼１０Ｌには左眼用視点画像Ｌが適切に到達する。観察者の視点位置が図４のようにＸ１方向に移動した場合、左眼１０Ｌには右眼用視点画像Ｒが、右眼１０Ｒには左眼用視点画像Ｌが到達することとなり、いわゆる逆視が生じてしまう。この場合、表示部１に表示する右眼用視点画像Ｒと左眼用視点画像Ｌとの表示位置を逆にすることで、右眼１０Ｒには右眼用視点画像Ｒを、左眼１０Ｌには左眼用視点画像Ｌを適切に到達させることができる。
【００２１】
画像補正部５は、表示制御部４の制御に従って、観察者の視点位置に応じた複数の視点画像を含む画像データを生成して表示部１に供給するようになっている。表示制御部４は、画像補正部５によって生成された画像データを表示部１に表示させる。
【００２２】
画像補正部５は、後述する色バランスを補正する制御を行う場合には、補正用データ記憶部７に記憶された補正用データに基づいて複数の視点画像を補正する。補正用データ記憶部７は、観察者の視点位置に応じた色の変化を示すデータ等を、補正用データとして記憶している。
【００２３】
［色バランスの補正処理］
次に、視点位置に応じた色バランスの補正処理について説明する。
【００２４】
（視点位置による色バランスの変化の説明）
まず、図５〜図７を参照して、視点位置による色バランスの変化について説明する。ここでは、表示部１とパララックス素子２とが図５に示したような構成である場合を例に説明する。図５〜図７では視点画像として、右眼用視点画像Ｒと左眼用視点画像Ｌとを用いる場合を例にしている。図５に示した構成例では、第１の透明基板６１と第２の透明基板６２との間に、パララックス素子２としてのパララックスバリア２Ａが形成されている。また、第２の透明基板６２と第３の透明基板６３との間に、液晶層７１とＲ（赤色），Ｇ（緑色），Ｂ（青色）のカラーフィルタ７２とを有する表示部１が形成されている。Ｒのカラーフィルタ７２が赤色サブピクセル１１Ｒに対応し、Ｇのカラーフィルタ７２が緑色サブピクセル１１Ｇに対応し、Ｂのカラーフィルタ７２が青色サブピクセル１１Ｂに対応するように形成されている。この構成例では、表示部１は、バックライト方式の液晶表示パネルとなっており、第１の透明基板６１の背面側にはバックライト８０が配置されている。この構成例では、パララックスバリア２Ａは、例えば液晶素子を用いた透過型の可変式のパララックスバリア素子であり、開口部２１および遮蔽部２２を任意の位置に形成可能となっている。そのほか、図示を省略しているが、表示部１およびパララックスバリア２Ａの両面または片面には偏光板や接着層等を有している。
【００２５】
図６は、サブピクセルの配列とパララックスバリア２Ａの配列との第１の例を示している。図６の例では、表示部１において、複数の画素１１が縦方向および横方向に配列されている。また、縦方向の任意のサブピクセル列には同一色のサブピクセルが配列されると共に、横方向の任意のサブピクセル列には赤色サブピクセル１１Ｒ、緑色サブピクセル１１Ｇ、および青色サブピクセル１１Ｂが周期的に交互に配列されている。図６の例では、横方向の任意のサブピクセル列における隣り合う赤色サブピクセル１１Ｒ、緑色サブピクセル１１Ｇ、および青色サブピクセル１１Ｂの組み合わせを、１つの視点画像をカラー表示するための単位画素として用い、右眼用視点画像Ｒと左眼用視点画像Ｌとを交互に表示している。図６では、パララックスバリア２Ａの開口部２１の位置を右眼１０Ｒの視点位置を基準として図示している。開口部２１は、縦方向に延在し、所定の開口幅Ｗ１を有するストライプ状のものとなっている。開口幅Ｗ１は、１つの画素１１よりも小さくなっている。例えば１つの画素１１の幅に対して開口幅Ｗ１は７０％〜８０％程度の大きさとなっている。
【００２６】
図７は、サブピクセルの配列とパララックスバリア２Ａの配列との第２の例を示している。図７では、表示部１の画素構成は図６の例と同様であるが、パララックスバリア２Ａの開口部２１が、いわゆるステップバリアの構成となっており、開口部２１が段差状に位置している。１つの開口部２１は、１つのサブピクセルの大きさと略同一となっている。右眼用視点画像Ｒと左眼用視点画像Ｌは、サブピクセル単位で割り当てられている。図７の例では、斜め段差状に赤色サブピクセル１１Ｒ、緑色サブピクセル１１Ｇ、および青色サブピクセル１１Ｂを組み合わせることで、１つの視点画像をカラー表示するための単位画素が形成される。
【００２７】
図６の例において、逆視が生じない範囲内で例えば観察者の視点位置がＸ１方向（図５）に移動すると、右眼１０Ｒで観察される青色サブピクセル１１Ｂの面積が増加し、赤色サブピクセル１１Ｒの面積が減少する。このため、画像が青っぽく色変化して観察されてしまう。逆に視点位置がＸ２方向（図５）に移動すると、右眼１０Ｒで観察される青色サブピクセル１１Ｂの面積が減少し、赤色サブピクセル１１Ｒの面積が増加する。このため、画像が赤っぽく色変化して観察されてしまう。
【００２８】
これに対して図７の例では、逆視が生じない範囲内で例えば観察者の視点位置がＸ１方向またはＸ２方向に移動したとしても、色変化は生じない。例えば上側から第１行目の赤色サブピクセル１１Ｒ、第２行目の緑色サブピクセル１１Ｇ、および第３行目の青色サブピクセル１１Ｂに着目して説明する。図７の例において、観察者の視点位置がＸ１方向（図５）に移動すると、第１行目では緑色サブピクセル１１Ｇの面積が増加し、第２行目では青色サブピクセル１１Ｂの面積が増加し、第３行目では赤色サブピクセル１１Ｒの面積が増加する。各行で別々の色が変化するので単位画素全体としては色変化は生じない。逆に視点位置がＸ２方向（図５）に移動した場合にも同様に、各行で別々の色が変化するので単位画素全体としては色変化は生じない。しかしながら、図７の例では、縦方向の３つのサブピクセルを組み合わせて各視点画像の単位画素を構成しているため、縦方向の解像度が１／３に低下する。
【００２９】
本実施の形態では、上述の図６の例のような、視点位置による色バランスの変化を補正する。補正用データ記憶部７（図１）にはあらかじめ、観察者の視点位置と色の変化との関係を、測定または計算により求めておき、そのデータを保存する。画像補正部５は、補正用データ記憶部７に記憶された補正用データに基づいて表示部１に表示する各視点画像を補正する。これにより、サブピクセル単位で色バランスを補正する。例えば図６の例において、観察者の視点位置がＸ１方向（図５）に移動し、右眼１０Ｒで観察される青色サブピクセル１１Ｂの面積が増加し、赤色サブピクセル１１Ｒの面積が減少する場合には、それらの変化とは逆方向に各色の輝度を補正する。すなわち、青色の輝度を減少させ、赤色の輝度を増加させるように各視点画像を補正する。
【００３０】
なお、レンチキュラ方式の場合（図２）にはレンズの色収差、視点位置に応じてレンズの色収差が発生する。従って、レンチキュラ方式の場合には、補正用データ記憶部７に記憶する補正用データに、レンズの色収差に関するデータを含めておくことが好ましい。これにより、色収差による色変化を補正することができる。
【００３１】
（色バランスの補正の流れ）
次に、図８を参照して、色バランスを補正する処理の流れを説明する。検出部３において、視点位置判定部３２は撮像部３１が撮影した観察者の画像を取り込む（ステップＳ１）。視点位置判定部３２は撮影画像を解析することによって、観察者の顔および眼の位置を検出し（ステップＳ２，Ｓ３）、表示部１に対する視点位置を計算する（ステップＳ４）。表示制御部４は、検出部３で検出された観察者の視点位置に応じて、画像補正部５に対して表示部１に表示する画像データの補正を行わせる。画像補正部５は、現在の画像データの輝度情報および色情報を参照すると共に、補正用データ記憶部７に記憶された補正用データを参照する（ステップＳ５，Ｓ６）。補正用データには観察者の視点位置による色の変化を示すデータ等が含まれている。これにより、画像補正部５は、色バランスを補正するようにサブピクセル単位で画像データを補正する（ステップＳ７）。
【００３２】
［効果］
以上説明したように、本実施の形態に係る表示装置によれば、視点位置に応じて、複数のサブピクセルの色バランスを補正するようにしたので、視点位置によらず色バランスを適正な状態に保つことができる。本実施の形態では、観察者の視点位置に応じて、逆視やクロストークなどを防止するように視点画像の表示制御ができるだけでなく、逆視やクロストークが生じない、通常の観察範囲にある場合においても画像の補正が行われるため、より良好な画像表示を行うことができる。
【００３３】
＜第２の実施の形態＞
次に、本開示の第２の実施の形態に係る表示装置について説明する。なお、上記第１の実施の形態に係る表示装置と実質的に同一の構成部分には同一の符号を付し、適宜説明を省略する。
【００３４】
本実施の形態は、表示部１が液晶表示素子を用いて構成されている場合に関する。例えば非特許文献１（”A wide-view Multi-domain Vertical-alignment Liquid Crystal with High Transmittance and High Contrast”Qi Hong etc. SID 06 P736）に記載されているように、液晶表示素子では、見る方向によって色の変化が生じてしまう特性がある。図９は、ＭＶＡ（Multi-domain Vertical Alignment）液晶における光透過率の一例を示している。図９（Ａ）は波長４５０ｎｍの特性、図９（Ｂ）は波長５５０ｎｍの特性、図９（Ｃ）は波長６５０ｎｍの特性を示している。
【００３５】
図９において、円周方向は方位角θ、放射方向は極角φとなっている。図１０に示したように、方位角θは表示部１の表示面（ＸＹ平面）に平行な面内での角度である。極角φは表示部１の表示面に垂直なＺ線に対する角度である。図９に示したように、ＭＶＡ液晶では、波長によって視野角特性が異なっている。例えば極角０度の場合、光透過率は４５０ｎｍでは３４％、５５０ｎｍでは３３％、６５０ｎｍでは２９％となっている。極角４０度の場合、光透過率は４５０ｎｍでは２０％、５５０ｎｍでは２８．５％、６５０ｎｍでは２７％となっている。従って、視野角度が変わった場合、青色光（４５０ｎｍ）の輝度変化が最も大きく、赤色光（６５０ｎｍ）の色変化が最も小さい。従って、表示部１が液晶表示素子を用いて構成されている場合、液晶表示素子の視野角特性によって色バランスが変化してしまう。
【００３６】
上記第１の実地の形態において、色バランスの補正を行うときに、上記したような液晶表示素子の視野角特性を加味した補正を行うようにしても良い。この場合、補正用データ記憶部７に記憶する補正用データに、液晶表示素子の視野角特性を示すデータを含めておけば良い。なお、液晶表示素子の視野角特性は、立体表示とは関係なく、通常の２次元表示を行う場合においても同様に存在する。このため、通常の２次元表示を行う場合においても、色バランスの補正を行うようにしても良い。
【００３７】
＜３．その他の実施の形態＞
本開示による技術は、上記各実施の形態の説明に限定されず種々の変形実施が可能である。
例えば、上記各実施の形態では、表示部１の１つの画素１１が、赤色サブピクセル１１Ｒ、緑色サブピクセル１１Ｇ、および青色サブピクセル１１Ｂの３色で構成された場合を例にしたが、１つの画素１１の構成はこれ以外であっても良い。
【００３８】
また例えば、上記各実施の形態に係る表示装置はいずれも、表示機能を有する種々の電子機器に適用可能である。図１１は、そのような電子機器の一例としてテレビジョン装置の外観構成を表している。このテレビジョン装置は、フロントパネル２１０およびフィルターガラス２２０を含む映像表示画面部２００を備えている。
【００３９】
また例えば、本技術は以下のような構成を取ることができる。
（１）
複数の画素を有し、１つの前記画素が色の異なる複数のサブピクセルを含む表示部と、
観察者の視点位置を検出する検出部と、
前記視点位置に応じて、前記複数のサブピクセルの色バランスを補正する補正部と
を備えた表示装置。
（２）
前記表示部は、複数の視点画像をサブピクセル単位で表示し、
前記表示部に表示された前記複数の視点画像をそれぞれ異なる方向に分離するパララックス素子をさらに備える
上記（１）に記載の表示装置。
（３）
前記補正部は、前記観察者が逆視が生じる視点位置に移動したか否かに関わらず前記色バランスを補正する
上記（２）に記載の表示装置。
（４）
前記表示部において、前記複数の画素は縦方向および横方向に配列され、かつ、縦方向の任意のサブピクセル列には同一色のサブピクセルが配列されると共に、横方向の任意のサブピクセル列には複数の色のサブピクセルが周期的に交互に配列されている
上記（２）または（３）に記載の表示装置。
（５）
前記表示部は、横方向の任意のサブピクセル列における隣り合う所定数のサブピクセルの組み合わせを、１つの前記視点画像をカラー表示するための単位画素として用いる
上記（４）に記載の表示装置。
（６）
前記パララックス素子は、所定の幅を有するストライプ状の開口部が横方向に複数配列された構成とされ、
前記各開口部の幅が、前記単位画素の横幅よりも小さい
上記（５）に記載の表示装置。
（７）
前記表示部は、液晶表示素子を用いて構成されている
上記（１）ないし（６）のいずれか１つに記載の表示装置。
（８）
表示装置を含み、
前記表示装置は、
複数の画素を有し、１つの前記画素が色の異なる複数のサブピクセルを含む表示部と、
観察者の視点位置を検出する検出部と、
前記視点位置に応じて、前記複数のサブピクセルの色バランスを補正する補正部と
を備えた電子機器。
【符号の説明】
【００４０】
１…表示部、２…パララックス素子、２Ａ…パララックスバリア、２Ｂ…レンチキュラレンズ、３…検出部、４…表示制御部、５…画像補正部、６…パララックス素子制御部、７…補正用データ記憶部、１０Ｌ…左眼、１０Ｒ…右眼、１１…画素、１１Ｒ…赤色サブピクセル、１１Ｇ…緑色サブピクセル、１１Ｂ…青色サブピクセル、２１…開口部、２２…遮蔽部、２３…分割レンズ、３１…撮像部、３２…視点位置判定部、６１…第１の透明基板、６２…第２の透明基板、６３…第３の透明基板、７１…液晶層、７２…カラーフィルタ、８０…バックライト、２００…映像表示画面部、２１０…フロントパネル、２２０…フィルターガラス、θ…方位角、φ…極角。
【図１】
0005810011.tif 000002
【図２】
0005810011.tif 000003
【図３】
0005810011.tif 000004
【図４】
0005810011.tif 000005
【図５】
0005810011.tif 000006
【図６】
0005810011.tif 000007
【図７】
0005810011.tif 000008
【図８】
0005810011.tif 000009
【図９】
0005810011.tif 000010
【図１０】
0005810011.tif 000011
【図１１】
0005810011.tif 000012